(57)【要約】  Ｘ線透視装置のＣ型アームに取り付けて、Ｘ線源と患者の間および患者と画像増強管の間のＸ線を遮蔽し平行化する放射線防護装置である。一実施形態では、Ｘ線透視システムのＣ型アーム、Ｘ線源、及び画像増強管を取り囲むＸ線不透過材料の放射線シールドを備える。パッド付きスロットが、患者の身体の周りにフィットする。他の一実施形態では、Ｘ線源と患者の間及び患者と画像増強管の間に伸張する円錐形または円筒形の放射線シールドを備える。放射線シールドは、長さ調節具および装置を患者にフィットさせるパッド付き端部を備える。該放射線防護装置は、放射線シールドを伸縮させるためのモーターを備えることができる。毛布状放射線シールドは、Ｘ線が身体に入る箇所を取り囲む部分で患者を覆う。【選択図】図７
2010521992.tif 000002
【特許請求の範囲】
【請求項１】
Ｃ型アーム上に取り付けられたＸ線源および画像増強管を有するタイプのＸ線透視装置用放射線防護装置において、
前記Ｘ線源を取り囲み前記Ｃ型アーム内に配置された患者の身体に接触するように伸張可能な第一の放射線シールド、
前記画像増強管を取り囲み前記Ｃ型アーム内に配置された患者の身体に接触するように伸張可能な第二の放射線シールド、
前記第一の放射線シールドを選択的に伸縮するための第一のモータ、および
前記第二の放射線シールドを選択的に伸縮するための第二のモータ、
を有する放射線防護装置
【請求項２】
前記第一の放射線シールドが円錐形である請求項１に記載の放射線防護装置。
【請求項３】
前記第二の放射線シールドが円錐形である請求項２に記載の放射線防護装置。
【請求項４】
前記第一の放射線シールドが円筒形である請求項１に記載の放射線防護装置。
【請求項５】
前記第一の放射線シールドが円筒形である請求項４に記載の放射線防護装置。
【請求項６】
前記第一の放射線シールドは、柔らかく、患者の表面に接触させるに適した縁部を有する請求項１に記載の放射線防護装置。
【請求項７】
前記第二の放射線シールドは、柔らかく、患者の表面に接触させるに適した縁部を有する請求項６に記載の放射線防護装置。
【請求項８】
さらに、前記Ｘ線透視装置に近接する患者の部分を覆いながら、前記Ｘ線透視装置で画像形成される患者の部分を覆うことのないように構成された第三の放射線シールドを有する請求項１に記載の放射線防護装置。
【請求項９】
さらに、前記第一の放射線シールドの患者への近接または接触を感知するように構成された第一のセンサ、および、前記第一のセンサが患者の身体への近接または接触を検出したときに前記第一のモータが前記第一の放射線シールドを伸張するのを停止させるための手段、を有する請求項１に記載の放射線防護装置。
【請求項１０】
さらに、前記第二の放射線シールドの患者への近接または接触を感知するように構成された第二のセンサ、および、前記第二のセンサが患者の身体への近接または接触を検出したときに前記第二のモーターが前記第二の放射線シールドを伸張するのを停止させるための手段、を有する請求項９に記載の放射線防護装置。
【請求項１１】
Ｃ型アーム上に取り付けられたＸ線源および画像増強管を有するタイプのＸ線透視装置用放射線防護装置において、
前記Ｃ型アーム上に取り付けられた前記Ｘ線源および画像増強管を取り囲む放射線シールドを有し、
前記放射線シールドは、第一のほぼ平面の側壁、第二のほぼ平面の側壁、それらをつなぐ周囲壁、および前記放射線シールドを画像形成される患者の身体の一部分にフィットさせるように構成された前記第一および第二の側壁および前記周囲壁を通るスロット状の開口部を有する、放射線防護装置。
【請求項１２】
前記放射線シールド内の前記開口部は、柔らかく、患者の表面に接触させるに適した縁部を有する請求項１１に記載の放射線防護装置。
【請求項１３】
前記放射線シールドは、Ｃ型アームに取り付けられる部分および患者に固定される部分、および、前記Ｃ型アームに取り付けられる部分と前記患者に固定される部分の間の相対移動を可能にする重ね合わせスライド式ジョイントを有する請求項１１に記載の放射線防護装置。
【発明の詳細な説明】
【技術分野】
【０００１】
本出願は、２００６年１１月１１日出願の米国仮出願第６０／８５８，０５８号及び２００７年４月１３日出願の米国仮出願第６０／９２３，４８１号の特典を請求し、これら全ての米国仮出願は本明細書に組み込まれる。
【０００２】
本発明は、Ｘ線透視技術者および他の医療従事者を、Ｘ線透視画像作成過程において放射線被爆から防護するための装置に関するものである。
【背景技術】
【０００３】
Ｘ線透視すなわちリアルタイムでのＸ線画像形成技術は、とくに静止Ｘ線画像が生体の動く器官の運動や機能に関して充分な診断情報を提供しない分野での医療用診断具として重要な役割を果たしてきた。Ｘ線透視は、心臓病科、電気生理科、胃腸病科、および整形外科において広く用いられている。カテーテルを用いた心臓インターベンションおよび放射線治療技術の最近の発達に応じて、Ｘ線透視技術は、きわめて多く用いられるようになっている。救命インターベンション治療技術の多くは、Ｘ線透視を用いずには不可能である。しかし、Ｘ線透視画像形成では、患者および付き添う医療従事者が、有害となるおそれのあるＸ線放射に被爆する。患者にとっては、Ｘ線への被爆はＸ線透視画像を生成するために必要で、しかも被爆は、通常短時間であり回数も少ない。患者の利益は、有害となるおそれのあるＸ線放射の影響を充分に上回るものである。しかし、Ｘ線透視画像形成にたずさわる医療従事者は、ほぼ毎日多量のＸ線放射に被爆している。Ｘ線透視画像形成の処置を受けている患者の、きわめて近くで作業を行わなければならない心臓病インターベンションの医師および放射線技術者、ならびにＸ線透視を行いながら関節を動かしている整形外科医の場合は、特にそうである。
【０００４】
医療従事者のＸ線被爆には、二つの被爆源がある。Ｘ線からの直接の被爆と散乱Ｘ線からの被爆である。直接被爆は、Ｘ線透視装置を操作しているときに技術者の手または他の身体部分がＸ線のビームに位置することによって発生する。Ｘ線の散乱は、Ｘ線が患者の組織内の電子に当たり、入射Ｘ線とは平行でない角度で側方に偏向されて戻ってくるときに発生する。散乱Ｘ線の強度は、直接のＸ線よりはるかに低いが、技術者が散乱Ｘ線に被爆する可能性ははるかに高く、年月を重ねて被爆することによって累積的にその悪影響がでてくる。
【０００５】
米国においてほとんどの州では、Ｘ線透視の処置中は、室内で働くすべての医療従事者が防護具を着用することが義務付けられている。この防護具は、州の規則および利用するＸ線源の強度によって異なるが、通常、放射線抵抗性のエプロンのようなもので、鉛０．２５〜０．５ｍｍに相当する防護作用を有する。用いられる厚さによって異なるが、鉛のエプロンは、エプロンに当たるＸ線放射量の９０〜９９パーセントを吸収する。しかし、これらのエプロンは、それによって覆われている身体部分のみを防護するもので、Ｘ線透視装置の極近で働く要員は、甲状腺プロテクタ、鉛を充填した眼鏡、および顔面シールドなどの追加の防護具を着用することが望まれる。身体の露出部分は、依然としてＸ線被爆のおそれがある。
【０００６】
放射線防護のために必要ではあるが、鉛のエプロンは、重くて着心地がわるく、疲労や傷害が生じる。鉛のエプロンを着用してＸ線透視室で頻繁に働く要員には、背中、膝、およびくるぶしの傷害が広く認められる。Ｘ線透視画像形成を必要とする長時間で複雑なインターベンション処置に従事する技術者には、Ｘ線被爆、疲労、および傷害のすべての増加が予想される。
【発明の概要】
【発明が解決しようとする課題】
【０００７】
鉛のエプロンおよび鉛の眼鏡で得られる放射線防護効果が不完全であり、また疲労や傷害のおそれが高いため、より完全な防護効果がありまた重い放射線防護着を着用する必要を低減、ないしは除去する放射線防護装置が提供されることが望まれている。そのような防護装置は、理想的には、Ｘ線透視技術者およびすべての近隣の要員をＸ線の直接被爆および散乱Ｘ線から防護するものである。そのような防護装置は、Ｘ線透視あるいはＸ線透視中に行われるあらゆる診断または治療処置の効果を妨げるものであってはならない。好ましくは、防護装置は、技術者または患者に一切の不都合を生じさせないものである。真に効果的な放射線防護装置とは、鉛エプロンおよび他の防護具の必要性をなくして放射線防護の全コストを低減することができ、さらには放射線遮蔽の必要量を減らして病院におけるＸ線透視用着用具の構造を簡素化できるものである。
【課題を解決するための手段】
【０００８】
本発明は、上に述べた論点に照らして、Ｘ線透視システムのＣ型アームに取り付け、Ｘ線源と患者の間および患者と画像増強管の間のＸ線を遮蔽し平行化する一つ以上の放射線シールドを有する放射線防護装置を提供する。この放射線防護装置は、技術者を不用意な直接的なＸ線の被爆から防護し、散乱Ｘ線を有意な割合で除去する。患者から発散される散乱Ｘ線の残る部分を除去するために、該放射線防護装置は、さらに、Ｘ線が患者の身体に入射する場所を取り囲む部分を覆う毛布状放射線シールドを含むものとすることができる。任意には、該毛布状放射線シールドは、Ｃ型アーム上の放射線シールドに接続したものとすることができる。
【０００９】
本発明の一実施形態にあっては、放射線防護装置は、Ｘ線透視システムのＣ型アーム、Ｘ線源、および画像増強管を取り囲むＸ線不透過材料の放射線シールドを有する。患者の身体のまわりに該放射線シールドをフィットさせるためのスロットまたは開口部が配設されている。該放射線シールドを患者の身体の輪郭に快適にフィットさせまた患者に対するＣ型アームの若干の動きを吸収するために、該開口部は、柔らかく可撓性を有する材料で取り囲まれている。
【００１０】
本発明の他の一実施形態にあっては、放射線防護装置は、Ｘ線源から患者または施術台に延びる第一の円錐形または円筒形の放射線シールドおよび患者から画像増強管に延びる第二の円錐形または円筒形の放射線シールドを有する。該第一の放射線シールドおよび第二の放射線シールドは、該装置を患者にフィットさせ、患者に対するＣ型アームの動きを吸収するための長さおよび高さ調節手段を有する。該第一の放射線シールドおよび第二の放射線シールドの開口部は、それらを患者の身体の輪郭に快適にフィットさせるために、柔らかく可撓性を有する材料で取り囲まれている。任意には、放射線防護装置は、第一の放射線シールドおよび第二の放射線シールドを患者と接触した状態から伸縮させて、該Ｃ型アームを患者に対して自由に移動させて配置し直すための電動モーター等を有する。任意には、該第二の放射線シールドは、技術者が、第二の放射線シールドを患者との接触から引き離すことなく、その下の患者の部分で作業を行うことができるための一つ以上の手の出入り口を有するものとすることができる。
【００１１】
本発明の放射線防護装置の各実施形態は、また、Ｘ線が患者の身体に入る箇所を取り囲む部分を覆う毛布状放射線シールドを含むものとすることができる。
【図面の簡単な説明】
【００１２】
【図１】図１は、従来のＣ型アーム式Ｘ線透視システムを示す。
【図２】図２は、Ｃ型アーム式Ｘ線透視システムに取り付けられた放射線防護装置の一実施形態を示す。
【図３】図３は、図２の放射線防護装置の変形例を示す。
【図４】図４は、Ｃ型アーム式Ｘ線透視システムに取り付けられた第一の放射線シールドおよび第二の放射線シールドを有する放射線防護装置の一実施形態を示す。
【図５】図５は、手の出入り口を有する放射線シールドを示す。
【図６】図６は、二つの手の出入り口を有する放射線シールドを示す。
【図７】図７は、第一の放射線シールドおよび第二の放射線シールドを伸縮させるためのモーターを有する放射線防護装置の一実施形態を示す。
【図８】図８は、画像形成されている部分以外の患者を覆う毛布状放射線シールドを示す。
【図９】図９は、わずかに上方に立ち上がって患者を取り囲む放射線シールドを示す。
【図１０】図１０は、Ｘ線透視システムのＸ線源から懸架された放射線シールドを示す。
【発明を実施するための形態】
【００１３】
図１は、従来のＣ型アーム式Ｘ線透視システム１００を示す。Ｘ線透視装置１００は、Ｃ型アーム１０６の対向する端部に取り付けられたＸ線源１０２および画像増強管１０４を含む。使用にあたっては、Ｘ線源１０２および画像増強管１０４は、画像形成される患者の身体部分の対向する側に配置される。Ｘ線源１０２は、患者の身体を通って画像増強管１０４に向かうようにＸ線を発する。画像増強管１０４は、Ｘ線画像を捕捉し、リアルタイムでモニタ１０８に表示する。図示のように、Ｘ線源１０２が患者の下方に配置され、画像増強管１０４が上方に配置されることが多いが、用途によっては、これらの位置関係が反転されあるいはＣ型アーム１０６が水平に配置されることもある。このシステムは、Ｘ線画像を記憶して再生するための電子メモリおよびＸ線画像をフィルムに捕捉するためのムービーカメラを含むことができる。カテーテル施術室で使用する場合には、Ｃ型アーム１０６は、施術台の側部または前端部に取り付けられる。Ｃ型アーム１０６は、移動および回転可能で、Ｘ線源１０２と画像増強管１０４を対象の人体構造から最良の画像が得られるように配置することができる。Ｘ線源１０２が患者の下方に配置され、画像増強管１０４が上方に配置されることが多いが、用途によっては、これらの位置関係が反転されあるいはＣ型アーム１０６が水平または斜めの角度に配置されることもある。
【００１４】
図２は、Ｘ線透視システム１００のＣ型アーム１０６に取り付けられた放射線防護装置１１０の一実施形態を示す。この放射線防護装置１１０は、Ｘ線透視システム１００のＣ型アーム１０６、Ｘ線源１０２、および画像増強管１０４を取り囲むＸ線不透過材料の放射線シールド１１２を含む。放射線シールド１１２は、第一のほぼ平面の側壁１１４、第二のほぼ平面の側壁１１６、およびそれらをつなぐ周囲壁１１８を有する。患者の身体のまわりに更に目的とする用途にとって適当であれば任意には施術台のまわりに、放射線シールド１１２を取り付けるために、第一および第二の側壁１１４、１１６、および周囲壁１１８を切り取ったスロットまたは開口部１２０が設けられている。周囲壁１１８の背部は、Ｃ型アーム１０６を保持する支持アーム１２８を通すための開口部または細長いスロット１２６を有する。放射線シールドを患者の身体の輪郭に快適にフィットさせ、また患者に対するＣ型アーム１０６の若干の動きを吸収するために、柔らかく可撓性のある材料のパッド１２２が、開口部１２０を取り囲んでいる。任意には、開口部１２０をＸ線透過材料で覆うこともできる。開口部１２０の周囲のパッド１２２は、鉛充填ゴム製その他の柔らかい適合構造を持つ膨張可能なまたは発泡充填式の縁とすることができる。放射線防護装置１１０は、留具および／または接着剤で直接Ｃ型アーム１０６に接合してもよいし、あるいは例えばジッパー、磁石、スナップ、ストラップ、ホック／ループ式ファスナー等でＣ型アーム１０６の上に取り付けまたそこから取り外せる独立の構造体としてもよい。
【００１５】
本実施形態および他の実施形態の放射線シールドは、鉛の遮蔽材料、複合材料、または他のＸ線不透過材料製とすることができる。放射線遮蔽材料は、鉛０．５ｍｍと等価またはそれ以上の防護機能を有し、よって更なる放射線防護を必要としないことが好ましい。例えば、米国特許第４７９５６５４号は、三層構造の複合Ｘ線不透過材料を記載している。第一の層は、例えばウラン、鉛、金で構成することができる。第二の層は、例えばスズ、インジウムで構成することができる。第三の層は、例えば亜鉛、銅、ニッケル、クロムで構成することができる。任意には、遮蔽材料は、鉛充填ゴムのような可撓性のものとすることができ、また、鉛充填ガラスまたは透明なＸ線不透過プラスチックのような光学的に透明なものとすることができる。ラジエーション・シールディング・テクノロジー社は、ＤＥＭＲＯＮと呼ばれる可撓性ポリマーのＸ線不透過材料を市販している。
【００１６】
図３は、図２の放射線防護装置１１０の変形例であって、放射線シールド１１２が、Ｃ型アームに取り付けられる部分１２６および患者に固定される部分１２８を有するものを示す。Ｃ型アームに取り付けられる部分１２６と患者に固定される部分１２８の間の重ね合わせスライド式ジョイント１３０によって、Ｃ型アーム１０６は、患者に対してより大きい移動範囲を有するものとすることができる。任意には、開口部１２０をある身体部分の周りに通した後にその一部分を覆うためのＸ線不透過材料であって好ましくは可撓性のある材料のフラップ１２４を配設することもできる。該フラップ１２４は、例えば磁石、スナップ、あるいはホック／ループ式ファスナーを用いて取り外し自在に取り付け可能とすることができる。
【００１７】
図２の放射線防護装置１１０に代わる実施形態にあっては、放射線シールド１１２は、独立して支持される構成とし、患者に対して静止して保持され、Ｃ型アーム１０６が該放射線シールド１１２内で独立して移動できるものとすることができる。
【００１８】
図４は、Ｃ型アーム式Ｘ線透視システム１００に取り付けられた第一の放射線シールド１３２および第二の放射線シールド１３４を有する放射線防護装置１３０の一実施形態を示す。第一の放射線シールド１３２は、形状がほぼ円錐形または円筒形で、Ｘ線源１０２から画像形成する身体部分にとって好適となるように患者または施術台１４０まで延びている。第二の放射線シールド１３４は、形状が同じくほぼ円錐形または円筒形で、画像増強管１０４から患者まで延びている。該放射線シールド１３２、１３４は、通常、患者に最も近い端部が開口しているが、任意には、該開口部は、Ｘ線透過材料で覆うこともできる。
【００１９】
第一の放射線シールド１３２および第二の放射線シールド１３４は、装置を患者にフィットさせ、患者に対するＣ型アーム１０６の動きを吸収するための長さまたは高さ調節具１３６、１３８を有する。該長さまたは高さ調節具１３６、１３８は、入子伸縮式ジョイント、伸縮自在のベローズ式ジョイント等として構成することができる。柔らかく可撓性のある材料のパッド１４２、１４４が、第一の放射線シールド１３２および第二の放射線シールド１３４を患者の身体の輪郭に快適にフィットさせるために、該シールドの開口部を取り囲んでいる。該開口部の周りのパッド１４２、１４４は、鉛充填ゴム製その他の柔らかい適合構造を持つ膨張可能なまたは発泡充填式の縁とすることができる。該長さまたは高さ調節具１３６、１３８および形状適合性パッド１４２、１４４によって、放射線シールド１３２、１３４を調節し直す必要なしに、Ｃ型アーム１０６を患者に対して相当程度まで配置し直すことが可能となる。任意には、長さまたは高さ調節具１３６、１３８には、軽いばね力を加えて、Ｃ型アーム１０６を調節するとき、患者に不快感を与えることなく放射線シールド１３２，１３４を患者に接触させた状態を保つことができるようにすることができる。Ｃ型アーム１０６を大きく配置し直すときには、好ましくは、Ｃ型アーム１０６を自由に移動できるように、放射線シールド１３２、１３４は、患者と接触した状態から引き離される。
【００２０】
任意には、第二の放射線シールド１３４は、該第二の放射線シールド１３４を患者と接触した状態から引き離すことなく、その下で技術者が患者の身体部分で作業を行うことができるように、一つ以上の手の出入り口を有するものとすることができる。図５は、技術者の両手および／または一つ以上の器具を通り抜けさせるのに充分な大きさの単一の手の出入り口１５０を有する放射線シールド１３４を示す。該手の出入り口１５０には、好ましくは、Ｘ線が該手の出入り口１５０を通って漏出するのを防ぐために放射線遮蔽材料の覆い１５６が取り付けられる。好ましい一実施形態にあっては、該覆いは、手または器具が通り抜け可能でしかも該手または器具の周りを密閉する可撓性の放射線遮蔽材料の複数の重ね合わせ式フラップで構成される。
【００２１】
図６は、二つの手の出入り口１５２、１５４を有する放射線シールドを示す。手の出入り口１５２、１５４の各々には、好ましくは、Ｘ線が該手の出入り口１５２、１５４を通って漏出するのを防ぐために放射線遮蔽材料の覆い１５６が取り付けられる。
【００２２】
好ましくは、放射線防護装置１３０に一つの手の出入り口が含まれる場合には、少なくとも放射線シールド１３４の一部は透明な放射線遮蔽材料でつくり、技術者が放射線シールド１３４の下の部分を見ることができるようにする。技術者がＸ線透視装置１００を操作している間に放射線シールド１３４の内側に手を入れる必要がある場合には、放射線遮蔽用手袋を着用することがきわめてのぞましい。他の一実施形態にあっては、手の出入り口１５２、１５４に一対の放射線遮蔽手袋が組み込まれている。
【００２３】
任意には、放射線防護装置１３０を、第一の放射線シールド１３２および第二の放射線シールド１３４を患者と接触させている状態から伸縮させるためのモーターを配設し、Ｃ型アームを自由に移動させて患者に対して配置し直すことができるようにすることができる。図７は、第一の放射線シールド１３２および第二の放射線シールド１３４を伸縮させるためのモーター１５６、１５８を有する放射線防護装置１３０の一実施形態を示す。該モーター１５６、１５８は、ラック／ピニオン機構、シザーズ機構、または他のモーターの回転運動を放射線シールド１３２、１３４の直線運動に変換するための機構１３３、１３５を有する電動モーターとすることができる。任意には、該操作機構には、軽いばね力を加えて、Ｃ型アーム１０６を調節するとき、患者に不快感を与えることなく放射線シールド１３２，１３４を患者に接触させた状態を保つことができるようにすることができる。Ｃ型アーム１０６を大きく配置し直すときには、好ましくは、Ｃ型アーム１０６を自由に移動できるように、放射線シールド１３２、１３４は、患者と接触した状態から引き離される。あるいは、電動モーターの代わりに空気圧または油圧式アクチュエータを使用することもできる。
【００２４】
放射線防護装置１３０は、さらに、放射線シールド１３２、１３４が患者と正しく接触したときにそれらがさらに入子式に伸張されるのを停止するための近接センサ、光学センサ、接触センサ等のセンサ１６０、１６２を含むものとすることが好ましい。一つの選択肢としては、放射線シールド１３２、１３４の開口部の周りに、放射線シールド１３２、１３４の伸縮と整合して作動するように機械化された形状適合性パッド１４２、１４４を有するものとすることができる。一例として、形状適合性パッド１４２、１４４は、膨張可能なものとすることができる。放射線シールド１３２、１３４は、しぼんだ状態のパッド１４２、１４４とともに、患者の身体に接近したことあるいは最初に接触したことをセンサ１６０、１６２が感知するまで入子式に伸張され、そこで、放射線シールド１３２、１３４の伸張が停止され、パッド１４２、１４４が膨らまされて放射線シールド１３２、１３４と患者の間の隙間が塞がれる。
【００２５】
あるいはまたはさらに、モーター１５６，１５８に圧力センサを接続し、放射線シールド１３２、１３４が患者に接触したことを感知するようにすることもできる。
【００２６】
センサ１６０、１６２によって放射線シールド１３２、１３４が患者の身体に接触していることを確認しない限りＸ線透視装置１００が作動するのを妨げるために、インターロック・スイッチを含めることも可能である。さらに、放射線シールド１３２、１３４の外側で放射線防護装置１３０の上または近くに一つ以上のＸ線検出装置を配置して、Ｘ線の漏出を検出し、また、それらを、漏出したＸ線放射を検出した場合にはＸ線源の運転を停止するインターロック・スイッチに接続することも可能である。
【００２７】
放射線防護装置の各実施形態は、Ｘ線が身体に入射する場所を取り囲む部分を覆う毛布状放射線シールドを含むものとすることができる。任意には、該毛布状放射線シールドは、Ｃ型アーム上で放射線シールドに接続することもできる。
【００２８】
図８は、画像形成されている部分以外の患者を覆う毛布状放射線シールド１７０を示す。毛布状放射線シールド１７０は、可撓性のＸ線不透過材料でつくられ、画像形成する患者の部分上方にある窓の部分１７２を除いて患者の大部分を覆うものであることが好ましい。カテーテル施術の場合には、例えば大腿または上腕動脈あるいは頸静脈などの血管にアクセスする部位の上方に第二の窓を配置することもできる。
【００２９】
放射線シールドの材料は、鉛０．５ｍｍと等価またはそれ以上の防護機能を有することが好ましい。散乱Ｘ線は、身体内部で一部しか減衰しないため、この防護レベルが、少なくともＸ線が患者の身体に入射する場所の１メートル以内の部分まで広がっていることが好ましい。任意には、毛布状放射線シールド１７０は、装置の患者に接触する部分を消毒する場合に、患者にとって快適で簡単なように、取り外し自在なカバーを有するものとすることができる。該取り外し自在なカバーは、洗濯可能で再使用可能なものあるいは無菌で使い捨て方式のものとすることができる。
【００３０】
図９は、患者の画像形成される部分の上方の窓部分１８２を除いてわずかに上方に上昇させて患者を取り囲む放射線シールド１８０を示す。剛性の放射線遮蔽材料を使用する場合には、放射線シールド１８０は、自立式のものとすることができる。あるいは、患者の上方で、可撓性を有する放射線遮蔽材料がフレームの上で支えられる構成とすることもできる。
【００３１】
さらに、他の放射線シールドが患者の下に延び、該他の放射線シールドが、患者の画像形成される部分の下に他の窓を有するものとすることができる。任意には、この放射線シールドは、患者の上方にある毛布状放射線シールド１７０、１８０の延長とすることができる。あるいは、施術台を部分的に放射線遮蔽材料でつくり、患者の画像形成される部分の下方にＸ線透過部分を有するものとすることができる。ただし、この形態は、異なる種類の施術においては施術台の利便性が制限される。
【００３２】
図１０は、Ｘ線透視システム１００のＸ線源１０２から懸架されている放射線シールド１９０を示す。これは、カーテン状の放射線シールド１９０で、Ｘ線源１０２と床の間に垂れ下がって、散乱Ｘ線の放射を止めるものである。この放射線シールド１９０は、上に説明した放射線防護装置の実施形態とは別に使用することもできるし、それらのいずれか一つと組み合わせて使用することもできる。
【００３３】
あるいはまたはさらに、本発明にもとづく放射線防護装置は、医療用または産業用画像形成、あるいは他の診断または治療のための施術に用いられる例えばガンマ線など他の種類の放射線からの防護のために使用することも可能である。
【００３４】
以上、実施形態の例および本発明を実施する最良の形態によって本発明を説明してきたが、当該技術分野に通常の技能を有するものには、本発明の精神および範囲から逸脱することなく上に述べた各種の実施形態、その適応例、その変形例のさらなる修正、改良、組み合わせが可能なことは明らかであろう。
【図１】
2010521992.tif 000003
【図２】
2010521992.tif 000004
【図３】
2010521992.tif 000005
【図４】
2010521992.tif 000006
【図５】
2010521992.tif 000007
【図６】
2010521992.tif 000008
【図７】
2010521992.tif 000009
【図８】
2010521992.tif 000010
【図９】
2010521992.tif 000011
【図１０】
2010521992.tif 000012
【国際調査報告】
2010521992.tif 000013